Podtech/llm-jp-corpus-v4-ja_patent huggingface dataset:
(57)【要約】      （修正有）【課題】オフィスや家庭等の建物内でデッドスペースになりがちがな角を有効利用した防災用品入れを提供する。【解決手段】段ボールあるいは金属製の箱で、歩行等の邪魔にならないよう５角柱の細長い箱状に形作ることで、エレベータや家具の脇などのデッドスペースに設置でき、常時目に付く場所に保管することで、突然訪れる災害時等の際にすぐに持ち出せるようにして防災用品入れを構成する。【選択図】図１
0003157732.tif 000002
【実用新案登録請求の範囲】
【請求項１】
オフィスや家庭等の建物内でデッドスペースになりがちな家具の脇や部屋の角を有効利用し、常時目に付く場所に保管することで、突然訪れる災害等の際にすぐに使用できることを目的とした防災用品入れ。
【考案の詳細な説明】
【技術分野】
【０００１】本考案は、オフィスや家庭等の建物内でデッドスペースになりがちな角を有効利用した防災用品入れに関する。
【背景技術】
【０００２】防災セットの普及が進んでいく中、用意した防災セットをクローゼットや押し入れ等にしまい込んでしまうことが多く、実際の災害時にどこにあるのかわからなくなってしまう場合や、長期間しまい込んでいることでせっかく用意した食料品等の消費期限が過ぎてしまうこともあり、災害時に大きな社会問題になりうる。また、エレベータ内には保管できる収納がないため防災用品を備蓄していないケースが大多数である。このため、デッドスペースを利用して常に目に見える場所に防災セットを保管できる入れ物があれば理想的である。
【考案の開示】
【考案が解決しようとする課題】
【０００３】災害時に社会的な問題となりうる防災セットの保管方法の課題を解決するのが本考案である。現在、市場では様々な防災用品収納用具が販売されているものの、そのほとんどが持ち運びの際の使用感だけを考えられたつくりであり、保管時にはクローゼットや押し入れにしまわれてしまうものである。このため、いざという時に取り出せなかったり、防災セット自体の存在をわすれてしまい、防災用食料の消費期限が切れてしまう等の大きな課題がある。
【課題を解決するための手段】
【０００４】上記目的を達成するために、段ボールあるいは金属製で角に設置しても邪魔にならない箱状に形作ることで、オフィスや家庭、エレベータ内のデッドスペースに防災用品を設置することができる。
【考案の効果】
【０００５】本考案の防災用品入れに防災用品を収納することで、クローゼットや押し入れ等にしまい込むことがなく、収納がない為にこれまで設置することができなかったエレベータ等にも防災セットを備蓄することができる。また、防災セットの家庭、オフィス内紛失や食料品等の消費期限切れを防ぎ、災害時でもすぐに使用ができる。
【考案を実施するための最良の形態】
【実施例】
【０００６】以下添付図面に従って実施例を説明する。図面１は全体のイメージ図で、図面２は上から見た図、図面３は入れ物を開いた図である。
【図面の簡単な説明】
【０００７】
【図１】全体イメージ図
【図２】上から見た図
【図３】入れ物を開いた図
【符号の説明】
【０００８】１  クローゼット
２  ふた
３  ボックス内棚
【図１】
0003157732.tif 000003
【図２】
0003157732.tif 000004
【図３】
0003157732.tif 000005
【手続補正書】
【提出日】平成21年9月11日(2009.9.11)
【手続補正１】
【補正対象書類名】実用新案登録請求の範囲
【補正対象項目名】全文
【補正方法】変更
【補正の内容】
【実用新案登録請求の範囲】
【請求項１】
段ボールあるいは金属製で角に設置しても邪魔にならない箱状に形作った入れ物で、エレベータや家具の脇に設置できる防災用品入れ。
【手続補正書】
【提出日】平成21年12月4日(2009.12.4)
【手続補正１】
【補正対象書類名】実用新案登録請求の範囲
【補正対象項目名】全文
【補正方法】変更
【補正の内容】
【実用新案登録請求の範囲】
【請求項１】
段ボールあるいは金属製の箱で、歩行等の邪魔にならないよう５角柱の細長い箱状に形作ることで、エレベータや家具の脇などのデッドスペースに設置でき、常時目に付く場所に保管することで、突然訪れる災害時等の際にすぐに持ち出せることを目的とした防災用品入れ。
(57)【要約】      （修正有）【課題】歩行者等に自転車の接近を知らせ、事故等を防止する自転車警音ベルトを提供する。【解決手段】自転車警音ベルトは、面ファスナーと夜光反射帯と鈴とを備え、自転車の車軸に巻きつけ固定可能である。【選択図】図１
0003157735.tif 000002
【実用新案登録請求の範囲】
【請求項１】
警音として、鈴、その他音の出るものを車軸に取り付け回転時に発音する装置である。
【請求項２】
マジックテ−プ（凸）（凹）を使って自転車等の車輪（回転軸）に巻き付け固定する。
【考案の詳細な説明】
【技術分野】
【０００２】  自転車等の車軸に鈴付きベルトを取り付け、鈴を回転させることにより警音を発するものであり、本案は歩行者等に自転車の接近を知らせるものである。
【背景技術】
【０００３】  従来、自転車警音ベル、ブザー等はあったが、車軸を回転させて音を発するものはなかつた。
【考案の開示】
【考案が解決しようとする課題】
【０００４】  歩行者が道路等を歩行中、後方から又は物陰から突然出現する自転車等に危険を感じて驚き、自転車等を運転する者も警音を鳴らさず歩行者に接近したため、直前で警音（ベル、ブザー等）を発し、そのため事故、トラブル等が発生する例を未然に防止するものである。
【課題を解決するための手段】
【０００５】  自転車等の車軸にマジックテープと鈴、反射テ等を合成して取り付けることにより、車軸回転時に常時警音を発する装置とした。
【考案の効果】
【０００６】  自転車等の車軸にマジックテープと鈴、反射テープ等を合成して取り付け固定することにより、車軸回転時に常時警音を発し、歩行者や自転車同士等の各種事故、トラブル等を防止することができる。
【図面の簡単な説明】
【０００７】
【図１】  鈴等の取り付け位置を示す平面図である。
【図２】  車軸に巻き付けた見取り図である。
【符号の説明】
【０００８】１    鈴
２    夜光反射帯
３    両面テープ（車軸接着用）
４    マジックテープ（凸）部
５    マジックテープ（凹）部
【図１】
0003157735.tif 000003
【図２】
0003157735.tif 000004
【手続補正書】
【提出日】平成21年9月24日(2009.9.24)
【手続補正１】
【補正対象書類名】実用新案登録請求の範囲
【補正対象項目名】全文
【補正方法】変更
【補正の内容】
【実用新案登録請求の範囲】
【請求項１】
警音として、鈴、その他音の出るものを車軸に取り付け回転時に発音する自転車警音ベルト。
【請求項２】
面ファスナー凸、凹を使って車輪等の回転軸に巻きつけ固定する自転車警音ベルト。
【手続補正２】
【補正対象書類名】明細書
【補正対象項目名】０００５
【補正方法】変更
【補正の内容】
【０００５】  自転車等の車軸に面ファスナーと鈴、反射テープ等を合成して取り付けることにより、車軸回転時に常時警音を発する装置とした。
【手続補正３】
【補正対象書類名】明細書
【補正対象項目名】０００６
【補正方法】変更
【補正の内容】
【０００６】  自転車等の車軸に面ファスナーと鈴、反射テープ等を合成して取り付けることにより、車軸回転時に常時警音を発し、歩行者や自転車同士等の各種事故、トラブル等を防止することができる。
【手続補正４】
【補正対象書類名】明細書
【補正対象項目名】０００８
【補正方法】変更
【補正の内容】
【０００８】  １    鈴
２    夜光反射帯
３    車軸接着用面ファスナー
４    面ファスナー凸
５    面ファスナー凹
【手続補正５】
【補正対象書類名】図面
【補正対象項目名】全図
【補正方法】変更
【補正の内容】
【図１】
0003157735.tif 000005
【図２】
0003157735.tif 000006
【手続補正書】
【提出日】平成21年11月26日(2009.11.26)
【手続補正１】
【補正対象書類名】実用新案登録請求の範囲
【補正対象項目名】全文
【補正方法】変更
【補正の内容】
【実用新案登録請求の範囲】
【請求項１】
面ファスナーと夜光反射帯と鈴とを備えた、自転車の車軸の回転軸に巻き付け固定可能な自転車警音ベルト。
(57)【要約】      （修正有）【課題】建物の屋根の破風の取付時に、破風から手を放して釘で止めたり、切ることもできる自在取付機を提供する。【解決手段】固定盤１と角度調整盤２を逆さＬ型に組み、接点の角を角度調整蝶螺子で調整固定し其の角度調整盤に受金具３を蝶螺子で止め、受金具が上下出来るように角度調整盤に溝を切り抜き蝶螺子で固定して構成される。【選択図】図１
0003157733.tif 000002
【実用新案登録請求の範囲】
【請求項１】
本考案の自在取付機は図１２３から製品化されています１取付金具と相手と釘ビス絞め付け金具で仮固定する２は角度調整金具で角度を調整し蝶螺子で固定する３は受け金具は取付け材を受けて高差お調整して止金で固定する又は受け金具の形を色々変える多種類物が取付け出来ます
図１完成図
図２の１取付盤２角度調整盤３部材受け金具５蝶螺子止金
其の他の部品で製品にされています
【考案の詳細な説明】
【技術分野】
【００１】本考案は作業中例、建物の屋根の破風などの取付では高所、又は足場の悪い所では右左二人で持つて取付ても転落の危険が有ります自在取付機を左右に仮着してそれに乗せて角度高さを調整して取付けると一人で楽に取付けでき安全で省力化に成ます
【背景技術】
【００２】高所又は足場の悪い場所でも安全と少力化して楽に施工出来る為
【先行技術文献】
【００３】
【特許文献】
【特許文献１】
【特許文献２】
【非特許文献】
【非特許文献１】
【考案の概要】
【考案が解決使用とする課題】
【００４】  作業が楽に安全に小力化する為又自在取付機のような機能を持つた道具は無く不便でした
【課題解決するめの手段】
【００５】本考案は自在取付機は金属又はプラスチックなどで簡単に加工組立製品化でき持運びも容易です図面１２３と蝶螺子で組立ています
【考案効果】
【００６】本考案自在取付機は簡単に取付け出来て施工上樂で小力化で安全です
【考案を実施するための形態】
【００７】以下本考案の自在取付機はその実施の最良の形態について図面に示す実施例に基ずき具体的に説明する
【００８】図１は本考案の自在取付機完成図です
【００９】
【００９】本考案自在取付機は図１２３と蝶螺子等の組立から製品に成っています
【０１０】本考案の自在取付機は鉄板をプレス加工して蝶螺子で組立た道具です材質は鉄板に限定されるものではない
【図面の簡単な説明】
【０１０】本考案の自在取付機は図１は相手に取付ける金具です
図２は角度調整金具図３は高さ上下させる金具図５６は蝶螺子は組立施工時のピン止目金金具です図３の金具を色々形を変えると便利です【０１１】以上の部品で自在取付機は組立製品化されています【０１２】本考案の道具は簡単安全小力化出来て楽に施工できます持ち運びも手軽に出来ます
符号の説明【０１３】図１自在取付機完成
１相手に取付け固定盤
６角度の中心固定ピン蝶螺子
５角度の回転停止ピン蝶螺子
７相手に取付ける釘穴
２角度調整盤
８角度回転のピンの切り抜き穴
９受け金具の上下のピンの切り抜き穴
３部材の受け金具
５受け金具ピンの蝶螺子
【図１】
0003157733.tif 000003
【図２】
0003157733.tif 000004
【図３】
0003157733.tif 000005
【手続補正書】
【提出日】平成21年10月22日(2009.10.22)
【手続補正１】
【補正対象書類名】実用新案登録請求の範囲
【補正対象項目名】全文
【補正方法】変更
【補正の内容】
【実用新案登録請求の範囲】
【請求項１】
固定盤１と角度調整盤２を逆さＬ型に組み、接点の角を角度調整蝶螺子で調整固定し其の角度調整盤に受金具３を蝶螺子で止め、受金具が上下出来るように角度調整盤に溝を切り抜き蝶螺子で固定して構成される自在取付機。
【手続補正２】
【補正対象書類名】明細書
【補正対象項目名】全文
【補正方法】変更
【補正の内容】
【考案の詳細な説明】
【技術分野】
【０００１】本考案は作業中例、建物の屋根の破風などの取付では高所、又は足場の悪い所では右左二人で持って取付ても転落の危険が有ります自在取付機を左右に仮着してそれに乗せて角度高さを調整して取付けると一人で楽に取付けでき安全で省力化に成る自在取付機です。
【背景技術】
【０００２】高所又は足場の悪い場所でも安全と省力化して楽に施工出来る為。
【考案が解決使用とする課題】
【０００３】作業が楽に安全に省力化する為又自在取付機のような機能を持つた道具は無く不便でした。
【課題を解決するための手段】
【０００４】本考案の自在取付機は、金属又はプラスッチクなどで簡単に加工組立製品化でき、持運びも容易です。図面１、２、３、と  蝶螺子でくみたてます。
【考案効果】
【０００５】本考案自在取付機は簡単に取付けできて施工上楽で省力化でき安全です。
【考案を実施するための形態】
【図面の簡単な説明】
【０００６】
【図１】  自在取付機図
【図２】  自在取付機部材図
【図３】  自在取付機現場施工例図
【０００７】本考案自在取付機は、図。１〜２〜３。から成り組立てられ製品に成っています【０００８】本考案の自在取付機は鉄板をプレス加工して蝶螺子で組立てた道具です、材質は鉄板に限定されるものではない。。【００９】以上の部品により自在取付機は組立製品化することができます。【００１０】本考案の道具は簡単安全省力化出来て楽に施工でき又持ち運びも手軽に出来ます
【符号の説明】
【００１１】１  相手に取付け固定盤
２  角度調整盤
３  部材の受け金具
４  角度調整盤
５  角度の調整停止ピン蝶螺子
６  角度の調整停止ピン蝶螺子
７  垂木等に取付ける釘穴
８  角度回転のピンの切り抜き穴
９  受金具の上下のピンの切り抜き穴
(57)【要約】      （修正有）【課題】簡単な構造でしかも安価に光調節を可能にする照明器具を提供する。【解決手段】光源を有する枠体と開閉自在な扇子と当該扇子を固定する部品から構成され、当該扇子の開度を調節して光の照射方向を変更したり、光の強さを調整する。扇子の開度を大きくして、枠体全体を覆うように設置した場合には全体的に暗くでき、扇子の開度を小さくして、枠体の一部を覆うように設置した場合には、扇子で覆われている部分だけ暗くし、覆われていない部分については光を強く照射することができる。【選択図】図３
0003157789.tif 000002
【実用新案登録請求の範囲】
【請求項１】
建物の壁面、または壁面の凹部に取り付けられる枠体（Ａ）と当該枠体内に取り付けられる光源（Ｂ）と枠体外に取り付けられた扇子（Ｃ）を有することを特徴とすると壁面設置用照明装置
【考案の詳細な説明】
【考案の詳細な説明】
【技術分野】
【０００１】  本考案は、建造物の壁面に固定されて使用する照明装置に係り、扇子を光調節に利用する壁面設置用照明器具に関する。
【背景技術】
【０００２】  従来の照明器具では光の強さを、電子部品を組み込んで発光する光源の量を増減させるか、フードを設けることで調節していた。
【考案の開示】
【考案が解決しようとする課題】
【０００３】  この考案は、簡単な構造でしかも安価に光調節を可能にする照明器具を提供することを課題とする。
【課題を解決するための手段】
【０００４】  課題を解決するために講じた本考案の手段は、光源を有する枠体と開閉自在な扇子と当該扇子を固定する部品から構成され、当該扇子の開度を調節して光の照射方向を変更したり、光の強さを調整する。
【考案の効果】
【０００５】  扇子の開度を大きくして、枠体全体を覆うように設置した場合には全体的に暗くでき、扇子の開度を小さくして、枠体の一部を覆うように設置した場合には、扇子で覆われている部分だけ暗くし、覆われていない部分については光を強く照射することができる。
【実施例】
【００１２】  次にこの考案の添付図面により、説明する。図１は照明器具の正面図であり、桶を半月状に分割した枠体（Ａ）と扇子（Ｃ）と扇子を固定するため溝を設けた取付部品（Ｄ）から構成される。図１では扇子を全部広げた状態にすることにより、もっとも照明が暗い状態になっている。図２は半月状の枠体（Ａ）と光源（Ｂ）のみを示している。扇子（Ｃ）及び取付部品（Ｄ）を取り除いた状態を示す。
図３は側面図である。
図４は実施例を示す。扇子を全開にせず、一部を閉じて、取付部品に設けられた溝に差し込むことにより一部を明るくすることができる。
【図面の簡単な説明】
【００１４】
【図１】正面図
【図２】枠体と光源
【図３】側面図
【図４】実施例
【図１】
0003157789.tif 000003
【図２】
0003157789.tif 000004
【図３】
0003157789.tif 000005
【図４】
0003157789.tif 000006
(57)【要約】      （修正有）【課題】犬の散歩時に、肩から提げている事で、放尿後、ただちに、散水出来るショルダー型犬散歩用尿水洗バッグを提供する。【解決手段】本体１の内側を８，９，１０と三分割し、水槽１０の下部に、ホース４を設け、先端にノズル３を付け、レバーを引くことで、散水出来るように該バッグを構成し、街が汚れるのを防止する。【選択図】図２
0003157556.tif 000002
【実用新案登録請求の範囲】
【請求項１】
肩から提げられ、バック本体の内側を縦三層に分割し、中央部分を水槽にして、水槽の下部に、ホースを設け、ホースの先端にノズルを付け、ノズルのレバーを引くことにより、散水できます。又、水槽には通常、水を入れますが、寒い時季はお湯を入れて、カイロ代わりにも使えのが特徴の、ショルダー型犬散歩用尿水洗バッグです。
【考案の詳細な説明】
【技術分野】
【０００１】本考案は、犬の散歩中に放尿した時に、散水するショルダー型犬散歩用尿水洗バッグに関する
【背景技術】
【０００２】犬の散歩時、手提げの物入れに、ペットボトル等を入れ、放尿後、物入れから、ペットボトル等を出して、散水していた
【考案の概要】
【考案が解決しようとする課題】
【０００３】手提げの物入れ、或はペットボトル等を持った状態での散歩は、犬同士のトラブル等、片手では抑止できない事が多々ある為、解決しようとするものです
【課題を解決するための手段】
【０００４】本考案は、ショルダー型バッグで、バッグの内側は、縦の仕切りで、三分割にし、中央を水槽にします。水槽の下部に、ホースを取り付け、ホースの先端にノズルをつけ、散水をするときは、ホースを伸ばし、ノズルのレバーを引けば水が出ます。
【図面の簡単な説明】
【０００５】
【図１】本考案のショルダー型犬散歩用尿水洗バッグの立体正面図です。
【図２】被せ（蓋）部分を取り除いた立体正面図です。
【図３】ショルダー型犬散歩用尿水洗バッグの断面図です。
【図４】ショルダー型犬散歩用尿水洗バッグの上面図です。
【符号の説明】
【０００６】  １  バッグ本体
２  被せ（蓋）
３  ノズル
４  ホース
５  ノズルのホルダー
６  ショルダーベルト
７  水注入口
８  小物入れ
９  小物入れ
１０  水槽
【図１】
0003157556.tif 000003
【図２】
0003157556.tif 000004
【図３】
0003157556.tif 000005
【図４】
0003157556.tif 000006
【手続補正書】
【提出日】平成21年11月19日(2009.11.19)
【手続補正１】
【補正対象書類名】実用新案登録請求の範囲
【補正対象項目名】全文
【補正方法】変更
【補正の内容】
【実用新案登録請求の範囲】
【請求項１】
（１）  肩から提げられる、
（２）  バッグ本体内部を縦に三分割し、中央部分を水槽に使用する、
（３）  水槽下部にホース付ノズルを設けることで散水できる、
以上からなるショルダー型犬散歩用尿水洗バッグ。
(57)【要約】      （修正有）【課題】肛門周囲の汚れを洗い落とすことができる円錐形突起口椅子を提供する。【解決手段】風呂用椅子に円錐形突起口２設ける。シャワ−器具４を円錐形突起口２差し入れシャワ−の水圧で突起噴出し口３より水が噴出する。【選択図】図１
0003157562.tif 000002
【実用新案登録請求の範囲】
【請求項１】
風呂用の椅子上、中央部に穴を設け本考案の円錐形突起口を椅子内部に取り付けシャワ−の水圧で円錐形突起口より水が噴射し肛門周囲の汚れを洗い落とすことを特徴とする円錐形突起口付椅子。
【考案の詳細な説明】
【技術分野】
【０００１】本考案は風呂用椅子内部に円錐形突起口を設けシャワーの水圧によって突起口より水を噴出し肛門周囲の汚れを洗い落とす円錐形突起口付き椅子である。
【背景技術】
【０００２】従来風呂に入浴する前に風呂用椅子に腰掛け肛門周囲の汚れを洗い流すことは出来なかった本考案は欠点を可能にした。
【考案の開示】
【考案が解決しようとする課題】
【０００３】家庭風呂  温泉  ホテル等で入浴する前に肛門周囲の汚を洗い落とす事は困難で衛生的にも問題点があった
本考案は前記欠点を解決するために円錐形突起口を風呂用椅子内部に取り付けたものである。
【課題を解決するための手段】
【０００４】風呂用プラスチック等の椅子上中央部に穴を設け椅子横側にシャワ−器具を受け入れ口円錐形突起口内部に取り付けシャワ−の水圧で突起口より水が噴出し肛門周囲の汚れを洗い流すものである。
【考案の効果】
【０００５】風呂に入る前  タオル、指先で肛門周囲の汚れを洗っていたが衛生的にも好ましくなかったが本考案は風呂用プラスチック等の椅子上、中央に穴を設け椅子横側にシャワ−器具を受け入れる円錐形突起口を椅子内部に設けシャワ−の水圧で突起口より水が噴出し肛門周囲の汚れを洗い流すものであるので衛生的である。
【考案を実施するための最良の形態】
【０００６】  プラスチック等風呂用椅子上部穴を設け椅子横側に円錐形突起口を取り付け、シャワ−器具大、中、小の器具でも使用可能にした円錐形突起の考案である、
風呂用椅子に人が腰掛けシャワ−器具を円錐形突起口に差し込むだけで水圧より椅子突起口より水が噴出し肛門周囲の汚れを洗い落とすことができる。
【実施例】
【０００７】以下、添付図面に従って一実施例を説明する１は耐久性のプラスチッスク等風呂用椅子２はシャワ−器具大、中、小、受け入れる為の円錐形突起３は水を噴出す突起口４はシャワ−器具５はシャワ−器具を受け入口平パッキング６はシャワ−器具の平パッキング７は風呂用椅子中央部穴である、
風呂用シャワ−器具を円錐形突起受け入れ口に差入椅子内部取り付けた突起口先より水圧で噴出し肛門周囲の汚れを洗い落とすことができる円錐形突起口付き椅子である。
【図面の簡単な説明】
【０００８】
【図１】本考案の風呂用椅子に円錐形突起口にシャワ−器具を差し込んだ正面図の断面図である
【図２】本考案の風呂用椅子、円錐形突起口よりシャワ−器具を離した上から見た正面図である。
【符号の説明】
【０００９】１  風呂用椅子本体
２  円錐形突起
３  突起水噴出し口
４  風呂用シャワ−
５  シャワ−受入れ平パッキング
６  シャワ−器具用平パッキング
７  風呂用椅子穴
【図１】
0003157562.tif 000003
【図２】
0003157562.tif 000004
【手続補正書】
【提出日】平成21年11月26日(2009.11.26)
【手続補正１】
【補正対象書類名】実用新案登録請求の範囲
【補正対象項目名】請求項１
【補正方法】変更
【補正の内容】
【請求項１】
風呂用の椅子上、中央部に穴を設け、円錐形突起口を椅子内部に取り付けシャワーの水圧で円錐形突起口より水が噴射し、肛門周囲の汚れを洗い落とすことを特徴とする円錐形突起口付椅子。
(57)【要約】      （修正有）【課題】ミシン目が分かりやすいロールペーパーを提供する。【解決手段】ロールペーパーのミシン目の境に模様や色をつける。【選択図】図２
0003157561.tif 000002
【実用新案登録請求の範囲】
0003157561.tif 000003
【考案の詳細な説明】
0003157561.tif 000004
【手続補正書】
【提出日】平成21年11月27日(2009.11.27)
【手続補正２】
【補正対象書類名】実用新案登録請求の範囲
【補正対象項目名】全文
【補正方法】変更
【補正の内容】
【実用新案登録請求の範囲】
【請求項１】
ミシン目をつけた  色付のロールペーパーについて、ミシン目を境に色を変えることによりミシン目を分かり易くしたロールペーパー。
【手続補正３】
【補正対象書類名】明細書
【補正対象項目名】全文
【補正方法】変更
【補正の内容】
【考案の詳細な説明】
【考案の詳細な説明】
多くのロールペーパーにはミシン目が着いている。
しかしその場所はわかりづらいことが多く  せっかくミシン目が有るのに異なるところで切ることが多い、特に目の不自由な方、子供、に多く見られる、それで色や  模様、マーク  等を付けたロールペーパーのミシン目を分かり易くする為にミシン目を境に印刷された  模様、マーク、字、等の色を変えてミシン目をより分かり易くする。
【図面の簡単な説明】
【図１】  ミシン目自体に色を付ける
【図２】  一色を使う場合
【図３】  二色または多色を使う場合
【図４】  模様（花模様等）、官庁・企業等の  マーク、字を  ミシン目を境に色を変える場合
【手続補正４】
【補正対象書類名】図面
【補正対象項目名】全図
【補正方法】変更
【補正の内容】
【図１】
0003157561.tif 000005
【図２】
0003157561.tif 000006
【図３】
0003157561.tif 000007
【図４】
0003157561.tif 000008
(57)【要約】      （修正有）【課題】うろこを地球に優しい環境配慮型小装飾体として活用できるようにした装飾片を提供する。【解決手段】被縫付材１０と、紐状体９と、通孔５を有するうろこ素地とを備え、前記紐状体９を、前記通孔５に通すとともに前記被縫付材１０に縫い付けることにより、前記うろこ素地を前記被縫付材に取り付けて装飾片を構成する。【選択図】図６
0003157528.tif 000002
【実用新案登録請求の範囲】
【請求項１】
うろこ（マリンリーフ）の素地（図１）を接着またはその中心（図２）、あるいは周辺（図３、図４）に通孔をあけ、その通孔に糸やテグス、光ファイバーやワイヤー等を通し布地、皮、紙、木、石、携帯電話等に貼り付け、または縫い付けることにより小装飾片に利用することを特徴とする装飾片。
【考案の詳細な説明】
公序良俗違反のため、不掲載とする。
【図１】
0003157528.tif 000003
【図２】
0003157528.tif 000004
【図３】
0003157528.tif 000005
【図４】
0003157528.tif 000006
【図５】
0003157528.tif 000007
【図６】
0003157528.tif 000008
【図７】
0003157528.tif 000009
【図８】
0003157528.tif 000010
【手続補正書】
【提出日】平成21年9月29日(2009.9.29)
【手続補正１】
【補正対象書類名】実用新案登録請求の範囲
【補正対象項目名】全文
【補正方法】変更
【補正の内容】
【実用新案登録請求の範囲】
【請求項１】
被縫付材と、
紐状体と、
通孔を有するうろこ素地とを備え、
前記紐状体を、前記通孔に通すとともに前記被縫付材に縫い付けることにより、前記うろこ素地を前記被縫付材に取り付けたことを特徴とする装飾片。
【請求項２】
被貼付材と、
うろこ素地とを備え、
接着手段により、前記うろこ素地を前記被貼付材に取り付けたことを特徴とする装飾片。
【手続補正２】
【補正対象書類名】明細書
【補正対象項目名】全文
【補正方法】変更
【補正の内容】
【考案の詳細な説明】
【技術分野】
【０００１】
本考案は、うろこを舞台衣装やドレス等の服飾品やバック、アクセサリー等の服飾雑貨、及び照明器具等のインテリア雑貨に取り付け、装飾に利用することに関するものである。
【背景技術】
【０００２】
従来、スパンコールやビーズは、ピカピカと人工的で画一的な輝きを放つ装飾用の薄い金属、プラスチックまたはガラスなどの小片である。うろこは、自然で艶やかな優しい輝きを放つにもかかわらず、本来廃棄物とされ、天然資源として有効利用されてこなかった天然素材である。
【考案の概要】
【考案が解決しようとする課題】
【０００３】
そこで、本考案においては、うろこを地球に優しい環境配慮型装飾片に昇華させ、利用することにあたって、面白さを備え、使用者に斬新で新鮮な雰囲気を与えると共に、環境にやさしいイメージで新しい感覚を与えることのできる装飾片を提供しようとするものである。
【課題を解決するための手段】
【０００４】
本考案は、うろこに図１、または図２、図３、図４のように通孔をあけることによって目的を達成するものである。
【考案の効果】
【０００５】
本考案は、上述の如く、簡単な構成であるにかかわらず、極めて多面的な使用を可能とするもので、確実に目的を達することができるものである。しかも、環境に配慮できるものであり、実用上精彩な感を使用者に与えることができ、工業的効果を挙げることができるものである。
【図面の簡単な説明】
【０００６】
【図１】うろこの素子を示す平面図である。
【図２】本考案によるうろこ中央の通孔を示す平面図である。
【図３】本考案によるうろこ上部の通孔を示す平面図である。
【図４】本考案によるうろこ横部の通孔を示す平面図である。
【図５】本考案によるうろこの使用状態を示す図である。
【図６】本考案によるうろこの使用状態を示す図である。
【図７】本考案によるうろこの使用状態を示す図である。
【図８】本考案によるうろこの使用状態を示す図である。
【考案を実施するための形態】
【０００７】
以下図面を用いて詳細に説明する。図１は、本考案にかかるうろこの素地平面図である。図２は、本考案にかかるうろこの中央に通孔をあけた平面図である。図３は、本考案にかかるうろこの上部に通孔をあけた平面図である。図４は、本考案にかかるうろこの横部に通孔をあけた平面図である。図５は、本考案によるうろこの使用状態を示す図である。図６は、本考案によるうろこの使用状態を示す図である。図７は、本考案によるうろこの使用状態を示す図である。図８は、本考案によるうろこの使用状態を示す図である。
【０００８】
本考案にかかるうろこを使った装飾片を図面に示す実施例に基づいて説明する。図１は、本考案にかかるうろこの素地平面図である。図５に示す使用例においてうろこ１を布１０等に貼り付けることによって形成される。図２は、本考案にかかるうろこの中央に通孔をあけた場合を示す。図６に示す使用例において通孔５に糸９等を通し布１０等に縫い付けることにより形成される。図３は、本考案によるうろこ上部に通孔をあけた場合を示す。図７に示す使用例において通孔６に糸９等を通し布１０等に縫い付けることにより形成される。図４は、本考案によるうろこ横部に通孔をあけた場合を示す。図８に示す使用例において通孔７、８に糸９等を通し布１０等に縫い付けることにより形成される。
【０００９】
なお本考案にかかるうろこを使った装飾片において、対象となる素材は限定されない。
【産業上の利用可能性】
【００１０】
本考案は、小装飾片を利用した服飾、服飾雑貨、及びインテリア雑貨に関する。これらの利用分野において、新技術・新産業の創出を可能とするものである。
【符号の説明】
【００１１】
１    うろこ素地
２    中央に通孔をあけたうろこ
３    上部に通孔をあけたうろこ
４    横部に通孔をあけたうろこ
５    通孔(i)
６    通孔(ii)
７    通孔(iii)
８    通孔(iv)
９    糸やテグス、光ファイバーやワイヤー等
１０  布、皮、紙、木、石、携帯電話等
(57)【要約】      （修正有）【課題】用紙自体にインデックス（見出し）を記せる罫線を設けることにより、別のインデックスラベル等を用いずに、区分、識別することができるインデックスガイド付ノート、ルーズリーフ用紙を提供する。【解決手段】ノート、ルーズリーフ等用紙本体１の右側面（裏面は左側面）にあるインデックス用罫線（インデックスガイド）３（本文用罫線２の５行ごと、計８箇所を設定）をガイドラインとして、容易にカラーマーカーペン等を用いて縦に色を塗ることができ、また、これに沿って見出しの文字を記載することにより、その用紙１ページ単位もしくは、段落ごとに文書を区分・識別することが可能となる。【選択図】図１
0003157529.tif 000002
【実用新案登録請求の範囲】
【請求項１】
ノート、ルーズリーフ等の用紙自体にインデックス（見出し）として記入や色分けができるスペース（インデックスガイド）を設け、用紙１枚ごと、または、段落ごとに区分・識別ができるところを特徴としたノート、ルーズリーフ等の用紙。
【考案の詳細な説明】
【技術分野】
【０００１】本考案は、インデックス（見出し）用のスペース（インデックスガイド）を設けた、ノート、ルーズリーフ等の用紙に関するものである。
【背景技術】
【０００２】通常、ノートやルーズリーフ等の用紙に記載した書類を区分や識別する際は、別途インデックスラベルを貼付したり、インデックスシートを挿入していた。
【考案の概要】
【考案が解決しようとする課題】
【０００３】インデックスラベルやインデックスシートは、別に購入する手間や費用が掛かかる。
従って、ノートやルーズリーフ等の用紙自体にインデックスの機能を入れることによって、この欠点を解決するものである。
【考案が解決するための手段】
【０００４】本考案は、ノート、ルーズリーフ等の用紙自体の右側面（裏面は左側面）に本文記載用罫線５行ごと等間隔にインデックス用罫線（インデックスガイド）を設け、その罫線に沿って、用紙１枚ごともしくは、用紙の段落ごとにカラーマーカーで色分けしたり、文字等を記載することにより、区分・識別が可能となる。
【考案の効果】
【０００５】上述のように、本考案のインデックスガイド付ノート、ルーズリーフ用紙は、文書を作成した際、そのままページごとや段落ごとに書類を分類することが可能となり、また、区分・識別方法も市販のインデックスラベルと違い、利用者個人の嗜好により作成することも可能とする。
【図面の簡単な説明】
【０００６】
【図１】  本考案のノート、ルーズリーフ等の用紙の実施例を示す正面図である。
【考案を実施するための形態】
【０００７】ノート、ルーズリーフ等用紙の本文記載用罫線に沿って、文書を作成した後、用紙の右側面（裏面は左側面）にあるインデックス用罫線（インデックスガイド  本文用罫線５行ごと、計８箇所を設定）をガイドラインとして、容易にカラーマーカーペン等を用いて縦に色を塗ることができ、また、これに沿って見出しの文字を記載することにより、その用紙１ページ単位もしくは、段落ごとに区分・識別することが可能となる。
【符号の説明】
【０００８】１  ノート、ルーズリーフ等用紙本体
２  本文記載用罫線
３  インデックス用罫線（インデックスガイド）
【図１】
0003157529.tif 000003
【手続補正書】
【提出日】平成21年8月21日(2009.8.21)
【手続補正１】
【補正対象書類名】実用新案登録請求の範囲
【補正対象項目名】請求項１
【補正方法】変更
【補正の内容】
【請求項１】
ノート、ルーズリーフ等の用紙自体に見出しをつける目的として、記入や色分けができるスペースを設け、用紙１枚ごと、または、段落ごとに区分・識別ができるところを特徴としたノート、ルーズリーフ等の用紙。
【手続補正書】
【提出日】平成21年11月17日(2009.11.17)
【手続補正１】
【補正対象書類名】実用新案登録請求の範囲
【補正対象項目名】全文
【補正方法】変更
【補正の内容】
【実用新案登録請求の範囲】
【請求項１】
ノート、ルーズリーフ等用紙の表面は右側面、裏面は左側面のそれぞれ空白スペースに、本文記載用罫線とは別の罫線を本文記載用罫線５行間隔に設けることにより、このスペースに沿って、タイトル名を記入したり、マーカーにより色分けすることができ、用紙１枚ごと、または、段落ごとに区分や識別ができるところを特徴としたノート、ルーズリーフ等の用紙。
(57)【要約】      （修正有）【課題】要求される照度を十分に引き出すことができる蛍光灯ランプ用の笠を提供する。【解決手段】蛍光灯ランプ用の反射板を２０枚合わせて構成する。【選択図】図２
0003157547.tif 000002
【実用新案登録請求の範囲】
【請求項１】
蛍光灯ランプ用の反射板を使用する笠で、面を２０枚重ね合わせたもの。
【考案の詳細な説明】
【技術分野】
【０００１】本考案は、水銀灯に替わる照明器具のランプの照度をより引き出すための反射板を２０面重ね合わせた物である。
【背景技術】
【０００２】今までは反射板の高効率化に特殊な塗装を施したり、フィルムを貼ったりしていたが、本考案は高光沢アルミニウム合金版を２０面合わせることにより最も効率よく照明の反射を得るためのものである。
【先行技術文献】
【特許文献】
【特許文献１】〔特開２００７−２１７６２２〕
【考案の概要】
【考案が解決しようとする課題】〔今までの反射板は面が多すぎたり、逆に少なすぎたりした為により良い反射を得られる事が出来なかった。〕
【課題を解決するための手段】〔反射板の寸法と面の数にこだわり、最適な角度を実現する。また、素材は鏡面のアルミ合金を使用する事により、２０面の反射板全ての面にランプそのものが映りこむ状態を造り、鏡に映りこんだランプ全てが発光するような状態を造る。きれいな花びらのように反射する事を可能とした結果、最大の反射効果を実現した。〕
【考案の効果】〔従来の反射板を使用した状態と比べて、照度と照射角が上がった。〕
【図面の簡単な説明】〔反射板の組立前と後の詳細〕【図１】２０面から成る反射板のうち１枚（真ん中で折れて２面）の図面
【図２】反射板を組み立てた後の図面
【考案を実施するための形態】
〔図１の反射板を１０枚組み合わせて孔にリベットを打ち込み、留めます。ランプホルダーを付ける部分には、図２のソケットをかぶせます。〕
【実施例】〔本考案の照明器具は高天井用に用いる為、工場や倉庫の天井鋼材に管支持金具で留めて吊るして使用する。〕
【産業上の利用可能性】〔平成２０年に発売を始めてから、すでに多数の企業様で導入を頂いており、日刊産業新聞平成２１年４月９日号にも省エネ機器として紹介頂いている。〕
【符号の説明】１．〔２０面から成る反射板のうち１枚（真ん中で折れて２面）の図〕
２．〔反射板を組み立てた後の図〕
３．〔電球を差し込む為のランプホルダーを支えるためのソケット〕
【図１】
0003157547.tif 000003
【図２】
0003157547.tif 000004
【手続補正書】
【提出日】平成21年11月26日(2009.11.26)
【手続補正１】
【補正対象書類名】実用新案登録請求の範囲
【補正対象項目名】全文
【補正方法】変更
【補正の内容】
【実用新案登録請求の範囲】
【請求項１】
蛍光灯ランプ用の反射板を２０枚合わせて構成した蛍光灯ランプ用の笠。
(57)【要約】      （修正有）【課題】毛細管現象を応用し水をじわじわと土に浸透させることができるプランターを提供する。【解決手段】プランター１を二重構造にして下段２に大量に貯水１０する。貯水の上に吸水用不織布と保水用スポンジを置いた網目台５，６，７を載せ、その台が弛まないよう数ヶ所に支柱パイプ８を設け、パイプの中に吸水用の不織布のひもを通す。又、パイプ８に数ヶ所穴をあけることによりそこから水が入り、不織布９を通じて毛細管現象で上の網目台７の吸水用不織布と保水用スポンジに浸透する。水を含んだスポンジ５の上に上段の花木を植えた底面が網目３になったプランターを置くことで、接触面から上段プランターへ毛細管現象で水がじわじわ浸透していく。【選択図】図１
0003157543.tif 000002
【実用新案登録請求の範囲】
【請求項１】
プランターを二重構造にして、下段部分に水を大量に貯蔵しその上にスポンジ台を載せ水を吸収させ、上段は底を網目にして花木を植えスポンジ台の上に載せるとスポンジとの接触面から毛細管現象により水を吸収して、水分を上段へ吸い上がらせることができるので給水の回数が少なくて済む、底に大量の水を貯蔵し側面の給水口からホースを入れ給水また排水ができる二重構造のプランター。
【請求項２】
請求項１のプランター下段の貯蔵した水の上に置くスポンジ台は、弛まないよう数ヶ所に支柱パイプを設け、各パイプの中に吸水用の不織布のひもを通しパイプに数ヶ所穴をあけ、貯蔵した水が減少しても毛細管現象で水を吸い上げできるようにする、吸水用不織布と保水用スポンジを組み合わせた水吸上げパイプ付き保水装置台。
【考案の詳細な説明】
【技術分野】
【０００１】プランターに植えた植物へ毛細管現象を応用して給水する装置で、プランターを二重構造にし、下段を貯水槽にすることで大量の水を貯水することができるので長期間の自然給水が可能となり、毛細管現象なので上から如雨露で水をまくような水量過剰にならないし少量の水消費ですむ。
【背景技術】
【０００２】貯水槽からの吸い上げは、吸水力のある不織布を使い、吸い上げた水はスポンジで保水する。スポンジから上段プランターへの吸い上げは、上段プランターの底面の網目とスポンジとの接触により毛細管現象で吸い上げられる。
【考案の開示】
【考案が解決しようとする課題】
【０００３】本考案は、プランターに植えた花木への給水が毎日では困難な場所にある・出張または旅行等で給水できない・室内のような如雨露での給水はまわりへの水漏れが心配な場所での給水・またデリケートな花・苗のため直接上から水をかけると傷めてしまう恐れのある植物への給水等を解決するために考案した。
【課題を解決するための手段】
【０００４】本考案は毛細管現象を応用し水をじわじわと土に浸透させていくよう考案した。
まずプランターを二重構造にして下段に大量に貯水し、その水を上段の花木を植えたプランターへ時間・日にちをかけじわじわ浸透させていくようにする。その装置は貯水の上に吸水用不織布と保水用スポンジを置いた網目台を載せ、その台が弛まないよう数ヶ所に支柱パイプを設け、パイプの中に吸水用の不織布のひもを通し、パイプに数ヶ所穴をあけることによりそこから水が入り不織布を通じて毛細管現象で上の網目台の吸水用不織布と保水用スポンジに浸透していく。水を含んだスポンジの上に上段の花木を植えた底面が網目になったプランターを置くことで、接触面から上段プランターへ毛細管現象で水がじわじわ浸透していく。
給水も上から如雨露でジャブジャブかけるのではなく、土に必要な分量だけ上がっていくので節水にもなるし植物にもやさしい。
【考案の効果】
【０００５】給水は側面のホースが入る給水口から注水し貯水槽を満杯にしておくと、毛細管現象で土が必要な分量の水だけをじわじわ吸い上げるので、給水過剰がなく上から如雨露でかけるより節水になり尚且つ花木を傷めない。
【考案を実施するための最良の形態】
【０００６】貯水槽の部分は用途・花木の種類に応じて貯水量を増やせるよう深型にすると長期の給水が可能になる。また貯水に液体肥料を混入しておくと種の発芽から苗の育成も可能になり、上から水をまくより苗を傷めない。
【実施例】
【０００７】下段の貯水槽から上段への水の吸い上げは、土に必要な分量だけ上がり、常に土に水分を含むので、植物がいきいきとして渇水による萎れがない。
【図面の簡単な説明】
【０００８】
【図１】貯水槽を満杯にし植物を植えた状態の断面図と吸上げパイプの断面と詳細図
【図２】外観とプランターのバリエーション
【図面の符号の説明】
【０００９】  １  上段植物を植えるプランター
２  下段貯水槽
３  上段プランター網目
４  給水口ホース穴・排水兼用
５  保水用スポンジ
６  吸水用不織布
７  吸水・保水台
８  吸上げパイプ
９  吸水用不織布ひも
１０  水
【図１】
0003157543.tif 000003
【図２】
0003157543.tif 000004
【手続補正書】
【提出日】平成21年11月20日(2009.11.20)
【手続補正１】
【補正対象書類名】実用新案登録請求の範囲
【補正対象項目名】全文
【補正方法】変更
【補正の内容】
【実用新案登録請求の範囲】
【請求項１】
花木植栽用プランターを二重構造にして、下段のプランターに水を大量に貯蔵しその上にスポンジ台を載せ水を吸収させ、上段のプランターは底を網目にして花木を植えスポンジ台の上に載せると、スポンジとの接触面から毛細管現象により水を吸収してその水を上段プランターへ吸い上がらせることができるので、給水の回数が少なくて済む、底に大量の水を貯蔵し側面の給排水口からホースを入れ給水または排水ができる二重構造のプランター。
【請求項２】
二重構造にした花木植栽用プランターの下段側に水を貯蔵しその上にスポンジ台を置き、その台が弛まないように数ヶ所支柱パイプを設け、各パイプの中に吸水用の不織布のひもを通しパイプに数ヶ所穴をあけ、貯蔵した水が減少しても毛細管現象で水を吸い上げできるようにする、吸水用不織布と保水用スポンジを組み合わせた、水吸い上げパイプ付きプランター用保水装置台。
(57)【要約】      （修正有）【課題】長さを自在に調節できるマットレスを提供する。【解決手段】一個一個の小型単体ユニットを、ユニット側面に備わった、ボタンとストレッチファイバーとで構成される連結装置でつなぐ。【選択図】図１
0003157546.tif 000002
【実用新案登録請求の範囲】
【請求項１】
一個一個の小型単体ユニットを、ユニット側面に備わった装置（ボタンとストレッチファイバー）でつなぐことにより、自在の長さに調節できる連結式マットレス。
【考案の詳細な説明】
【技術分野】
【０００１】この発明は、マットレスの機能と形状に関する。
【背景技術】
【０００２】従来の折りたたみ式マットレスと違い、図に示すように一個一個の単体ユニットが、側面に備わった装置（ボタンとストレッチファイバー）でつなぐことにより、連結式のマットレスになったものである。
【考案の概要】
【考案が解決しようとする課題】
【０００３】しかしながら、従来のマットレスは側地で一体縫製された一定の長さになっている。
そこで、この発明は、長さが自在に調節できるマットレスを提供することを課題とする。
【問題を解決するための手段】
従来のマットレスは、三つ折りか四つ折りできるようになっているが、広げて使用するときは大人が寝るときに必要な長さになっており、女性や子供向等万人に適したサイズのものがなかった。
【０００４】以上の問題を解決するために、第一の発明は、一個が小型の単体ユニットを特徴とするマットレスである。
また、第二の発明は、単体ユニット側面にユニット同士を連結するための装置（ボタンとストレッチファイバー）が備わっていることを特徴とするマットレスである。
【発明の効果】
【０００５】第一発明、または第二発明によれば、一個が小型の単体ユニットを二個、三個、四個と連結することにより、マットレスの長さを自在に調節できるため、子供用から女性用、長身の男性用へとどのようなタイプの人にでも適したサイズのマットレスになる。
【図面の簡単な説明】
【図１】この発明の一実施形態を斜視図に示す。
【考案を実施するための形態】
【０００６】この発明の一実施形態を図１に示す。
マットレスの本体である単体ユニット１はウレタンフォーム製のものを布地でカバリングしてあり、この本体１の側面にはボタンが一体的に設けられている。このボタンと別ユニットのボタンをストレッチファイバーでつなぐことにより、連結式のマットレスになる。
【００１０】「実施形態の効果」
この実施形態によれば、マットレスを使用する人が、身体の大きさに応じた個数の単体ユニットを使用できるので、万人に適した全く無駄のないマットレスである。
【符号の説明】
【００１１】１  連結式マットレス単体ユニット
２、３  ユニット同士をつなぐ連結装置（２  ボタン  ３  ストレッチファイバー）
【図１】
0003157546.tif 000003
【図２】
0003157546.tif 000004
【図３】
0003157546.tif 000005
【図４】
0003157546.tif 000006
【図５】
0003157546.tif 000007
【手続補正書】
【提出日】平成21年11月24日(2009.11.24)
【手続補正１】
【補正対象書類名】実用新案登録請求の範囲
【補正対象項目名】全文
【補正方法】変更
【補正の内容】
【実用新案登録請求の範囲】
【請求項１】
一個一個の小型単体ユニットを、ユニット側面に備わった、ボタンとストレッチファイバーとで構成される連結装置でつなぐことにより、自在の長さに調節できる連結式マットレス。
(57)【要約】      （修正有）【課題】男性も座って小便をする様に促すことができるシールを提供する。【解決手段】シール３には、不快感を緩和するメッセージを持ったグラフィックが表面に施されており、剥がしやすくかつ強度のある表材を用いる。便座１の座面から便器本体２の側面にかけて、シール３を貼る。【選択図】図１
0003157548.tif 000002
【実用新案登録請求の範囲】
【請求項１】
腰掛便器において男性も座って小便をする様に促し、男性の立ち小便による腰掛便器および周囲の汚れを解消することを目的とした、強要される男性への不快感を緩和するメッセージを持ったグラフィックと、剥がしやすくかつ強度のある素材を用いるところを特徴とする、腰掛便器の本体と便座を留める為のシール
【考案の詳細な説明】
【技術分野】
【０００１】本考案は、腰掛便器の便器本体と便座を留めるシールに関するものである。
【背景技術】
【０００２】腰掛便器において男性が小便をする際には、便座を上げて立ち小便をしていた。
【考案の概要】
【考案が解決しようとする課題】
【０００３】腰掛便器において男性が立って小便をする際に、小便および便器内の水が飛散し、便器内構造物および便器周囲を汚してしまうことが問題になっている。
その一番の対処策は、男性も便器に腰掛けて小便をする方法である。
しかし、客人等にまでそれを強要するのは言いにくいという課題がある。
また、家庭内であっても習慣がつくまでの間は、同様の課題がある。
【課題を解決するための手段】
【０００４】本考案は、腰掛便器の本体と便座をシールで留めることで、男性も座って小便をする様に促し、男性の立ち小便によって腰掛便器および周囲が汚れるという問題点を解決している。また、シールに施すグラフィックが、強要される男性への不快感を緩和する為のメッセージとして機能する。さらに、便器本体や便座を痛めず、かつ、綺麗に剥がせる弱性の粘着面と濡れても破れにくい強度をもったシールとすることで使いやすさに配慮している。
【考案の効果】
【０００５】便器本体と便座をシールで留めてしまう事で、腰掛けて小便をすることを、半ば強制的に促す。単に言葉で強要すると角が立つ所を、シールにプリントされたメッセージが代弁することで、伝えたい側と伝えられる側の関係を和やかに保つ。
以上により、男性の立ち小便による腰掛便器および周囲の汚れを解消できる。
【図面の簡単な説明】
【０００６】
【図１】本考案のシールの実施例を示す俯瞰図である。
【考案を実施するための形態】
【０００７】腰掛便器において便座を下げた状態に対し、便座の座面から便器本体の側面にかけて、シールを貼る。
その際、便所に入る扉方向の位置にシールを貼る様にするとより効果的。
【実施例】
【０００８】以下、添付図面に従って一実施例を説明する。
１の便座の座面から２の便器本体の側面にかけて、３のユポ等の素材による破れ強度をもった弱粘着性のシールを貼る。これにより、便座を上げる事が出来なくなる。
掃除の際もしくは客人が帰り用済みになったら、弱粘着性のシールなので簡単に綺麗に剥す事が出来る。
【符号の説明】
【０００９】１．便座
２．便器本体
３．シール
４．便所に入る扉がある方向
【図１】
0003157548.tif 000003
【手続補正書】
【提出日】平成21年11月26日(2009.11.26)
【手続補正１】
【補正対象書類名】実用新案登録請求の範囲
【補正対象項目名】請求項１
【補正方法】変更
【補正の内容】
【請求項１】
腰掛便器において男性も座って小便をする様に促し、男性の立ち小便による腰掛便器および周囲の汚れを解消することを目的とした、強要される男性への不快感を緩和するメッセージを持ったグラフィックが表面に施されているところと、剥がしやすくかつ強度のある素材を用いるところを特徴とする、腰掛便器の本体と便座を留める為のシール